(57)【要約】【課題】  異なった形状の左右のパネルを容易に入れ替えることができる調理用油除けパネルを提供する。【解決手段】  調理用油除けパネルは、正面パネルを構成する固定パネル２３及び可動パネル２４と、可動パネル２４の垂直辺３６に対してその第１辺３０を縁巻係合によって連結される第１側面パネル２７と、固定パネル２３に連結される第２側面パネル２８とから構成されている。第１側面パネル２７と第２側面パネル２８とを入れ替える場合には、第１側面パネル２７を可動パネル２４から取り外し、第１側面パネル２７をその面上で時計方向回りに９０°回転させる。この状態で第１側面パネル２７の第２辺３１を可動パネル２４に係合させた後、全体を上下反転させると第１側面パネル２７と第２側面パネル２８とを入れ替えた状態で使用することが可能となる。【選択図】      図１６
2011038770.tif 000002
【特許請求の範囲】
【請求項１】
調理用油除けパネルであって、
一対の垂直辺を含む矩形シート形状を有する正面パネルと、
第１辺と前記第１辺に直交すると共に前記第１辺と同一長さの第２辺とを含み、前記第１辺及び前記第２辺のいずれも前記垂直辺の一方に対して前記正面パネルに対して同一方向に向かって脱着自在に係合することができるシート形状の第１側面パネルと、
前記垂直辺の他方に接続された矩形シート形状の第２側面パネルとを備えた、調理用油除けパネル。
【請求項２】
前記垂直辺の一方には少なくとも縁巻が形成され、前記第１辺及び前記第２辺には、前記垂直辺の縁巻に対して軸方向にスライドさせることによって前記正面パネルに対して前記第１側面パネルを回動自在に係合させる縁巻が形成される、請求項１記載の調理用油除けパネル。
【請求項３】
前記第１側面パネルは、前記第１辺及び前記第２辺を一辺とする正方形シート形状からこれらの辺の交点を通る対角線を軸対称として前記交点に対して対向する交点を含む部分が切り取られた形状を有する、請求項１又は請求項２記載の調理用油除けパネル。
【請求項４】
前記係合する縁巻同士の少なくとも一方は、縁巻開始箇所が係合方向に対して伸びるように斜めに形成された傾斜端部を有する、請求項２記載の調理用油除けパネル。
【請求項５】
前記正面パネルは、
矩形シート形状の固定パネルと、
前記固定パネルに対して左右方向にスライド自在に係合する可動パネルとからなり、
前記第１側面パネルは前記可動パネルに係合し、前記第２側面パネルは前記固定パネルに接続する、請求項１から請求項４のいずれかに記載の調理用油除けパネル。
【請求項６】
縁巻同士を軸方向にスライドさせて係合させることによってパネル同士を連結するパネル構造体において、
前記縁巻の少なくとも一方は、縁巻開始箇所が係合方向に対して伸びるように斜めに形成された傾斜端部を有することを特徴とする、パネル構造体。
【発明の詳細な説明】
【技術分野】
【０００１】
この発明は調理用油除けパネル及びパネル構造体に関し、特に台所のレンジの周りに立設させ調理時の油跳ね等から周りを保護するための調理用油除けパネル及びパネル構造体に関するものである。
【背景技術】
【０００２】
従来からシステムキッチンレンジ等の周りに立て掛け、調理時の油跳ねから周囲を保護するための調理用油除けパネルが提案されている。油除けパネルは通常正面パネルと正面パネルの左右に接続された右側面パネル及び左側面パネルとから構成されている。
【０００３】
このような油除けパネルは、アルミニウム箔をプレス成形して一体化したものや、各々のパネルを鉄板等で構成し周囲に形成された縁巻等を利用して連結させているものも多い。
【０００４】
又、右側面パネルや左側面パネルは同一形状のものが多いが、用途に応じて左右の側面パネルが異なった形状のものも提案されている。
【発明の概要】
【発明が解決しようとする課題】
【０００５】
上記のような従来の左右の側面パネルが異なった調理用油除けパネルにあっては、一方のパネルは例えば矩形シート形状とし、他方のパネルは調理時の鍋等の移動に備えてその上部の角を斜めにカットしたようなシート形状のものが考えられる。
【０００６】
この場合、アルミニウム箔のプレス成形のような一体物は左右の側面パネルを入れ替えて使用することはできない。そのため、２種類のプレス成形品を用意せねばならずコスト的にも不利なものとなる。又、住居の移転等によってレンジの配置が反転したような台所に変わった場合、当初の油除けパネルでは使い勝手が悪くなる。
【０００７】
一方、鉄板等を縁巻で連結したタイプのものでは、左右の側面パネルを正面パネルから取り外すことはできるが左右を入れ替えることはできない。
【０００８】
図１７は、このような調理用油除けパネルの問題を説明するための概略斜視図である。
【０００９】
図を参照して、正面パネル６２の両側の辺に右側部縁巻６６及び左側部縁巻６９が形成されている。一方、右側面パネル６３の垂直辺にも縁巻６７が形成されている。そして、右側部縁巻６６と縁巻６７とはその軸方向にスライドさせることによって図のように係合し、右側面パネル６３は正面パネル６２に対して連結されると共に、右側部縁巻６６及び縁巻６７を中心として回動自在となる。
【００１０】
一方、左側面パネル６４も同様に、縁巻７０が形成され左側部縁巻６９にスライドさせて係合させることによって正面パネル６２に対して連結されると共に回動自在となる。
【００１１】
このような調理用油除けパネル６１の場合、右側面パネル６３の縁巻６７は右側部縁巻６６に対して係合できるが、左側部縁巻６９に対してはその縁巻方向の相違によって係合させることはできない。同様に左側面パネル６４もその縁巻７０を正面パネル６２の右側部縁巻６６に係合させることはできない。即ち、右側面パネル６３と左側面パネル６４との形状が異なっている場合これらを入れ替えて使用することはできないことになる。
【００１２】
この発明は上記のような課題を解決するためになされたもので、異なった形状の左右の側面パネルを容易に入れ替えることができる調理用油除けパネルを提供することを目的とする。
【課題を解決するための手段】
【００１３】
上記の目的を達成するために、請求項１記載の発明は、調理用油除けパネルであって、一対の垂直辺を含む矩形シート形状を有する正面パネルと、第１辺と、第１辺に直交すると共に第１辺と同一長さの第２辺とを含み、第１辺及び第２辺のいずれも垂直辺の一方に対して正面パネルに対して同一方向に向かって脱着自在に係合することができるシート形状の第１側面パネルと、垂直辺の他方に接続された矩形シート形状の第２側面パネルとを備えたものである。
【００１４】
このように構成すると、第１側面パネルはその面上において９０°回転した２つの位置において、正面パネルに係合することができる。
【００１５】
請求項２記載の発明は、請求項１記載の発明の構成において、垂直辺の一方には少なくとも縁巻が形成され、第１辺及び第２辺には、垂直辺の縁巻に対して軸方向にスライドさせることによって正面パネルに対して第１側面パネルを回動自在に係合させる縁巻が形成されるものである。
【００１６】
このように構成すると、第１側面パネルの正面パネルに対して脱着が容易となると共に回動自在となる。
【００１７】
請求項３記載の発明は、請求項１又は請求項２記載の発明の構成において、第１側面パネルは第１辺及び第２辺を一辺とする正方形シート形状からこれらの辺の交点を通る対角線を軸対称として交点に対して対向する交点を含む部分が切り取られた形状を有するものである。
【００１８】
このように構成すると、左右入れ替えた第１側面パネルの側面視は同一形状となる。
【００１９】
請求項４記載の発明は、請求項２記載の発明の構成において、係合する縁巻同士の少なくとも一方は、縁巻開始箇所が係合方向に対して伸びるように斜めに形成された傾斜端部を有するものである。
【００２０】
このように構成すると、傾斜端部に沿って縁巻同士の係合が開始される。
【００２１】
請求項５記載の発明は、請求項１から請求項４のいずれかに記載の発明の構成において、正面パネルは矩形シート形状の固定パネルと、固定パネルに対して左右方向にスライド自在に係合する可動パネルとからなり、第１側面パネルは可動パネルに係合し第２側面パネルは固定パネルに接続するものである。
【００２２】
このように構成すると、可動パネルを移動させると第１側面パネルと第２側面パネルとの間隔が変化する。
【００２３】
請求項６記載の発明は、縁巻同士を軸方向にスライドさせて係合させることによってパネル同士を連結するパネル構造体において、縁巻の少なくとも一方は、縁巻開始箇所が係合方向に対して伸びるように斜めに形成された傾斜端部を有することを特徴とするものである。
【００２４】
このように構成すると、傾斜端部に沿って縁巻同士の係合が開始される。
【発明の効果】
【００２５】
以上説明したように、請求項１記載の発明は、第１側面パネルはその面上において９０°回転した２つの位置において正面パネルに係合することができるため、正面パネルを上下反転させると第１側面パネルと第２側面パネルとの位置が左右反転する。従って、使用状況に応じて左右の側面パネルを入れ替えられるので使い勝手が良い。
【００２６】
請求項２記載の発明は、請求項１記載の発明の効果に加えて、第１側面パネルの正面パネルに対して脱着が容易となると共に回動自在となるため使い勝手が向上する。
【００２７】
請求項３記載の発明は、請求項１又は請求項２記載の発明の効果に加えて、左右入れ替えた第１側面パネルの側面視は同一形状となるため、いずれの位置においても第１側面パネルは同一機能を発揮する。
【００２８】
請求項４記載の発明は、請求項２記載の発明の効果に加えて、傾斜端部に沿って縁巻同士の係合が開始されるため、係合が容易となり使い勝手が良い。
【００２９】
請求項５記載の発明は、請求項１から請求項４のいずれかに記載の発明の効果に加えて、可動パネルを移動させると第１側面パネルと第２側面パネルとの間隔が変化するため、使用対象のレンジの幅に応じて設置状態を調整できるため使い勝手が良い。
【００３０】
請求項６記載の発明は、傾斜端部に沿って縁巻同士の係合が開始されるため、係合が容易となり使い勝手が良い。
【図面の簡単な説明】
【００３１】
【図１】この発明の第１の実施の形態による調理用油除けパネルの外観形状を示した斜視図である。
【図２】図１で示したＩＩ−ＩＩラインから見た拡大背面図である。
【図３】図１で示した調理用油除けパネルの展開状態を示した正面図である。
【図４】図３で示した“Ｘ”部分の拡大図である。
【図５】図４で示したＶ−Ｖラインの拡大端面図である。
【図６】図４に対応した図であって、可動パネルと第１側面パネルとの係合前の状態を示した図である。
【図７】図６で示したＶＩＩ−ＶＩＩラインの拡大端面図である。
【図８】図６で示したＶＩＩＩ−ＶＩＩＩラインの拡大端面図である。
【図９】図６で示したＩＸ−ＩＸラインの拡大断面図である。
【図１０】図３で示した“Ｙ”部分の拡大図である。
【図１１】図３で示した“Ｚ”部分の拡大図である。
【図１２】図１１で示したＸＩＩ−ＸＩＩラインの拡大端面図である。
【図１３】図１に対応した図であって、固定パネルに対して可動パネルをスライドさせて正面パネルの幅を広げた状態を示した斜視図である。
【図１４】この発明の第１の実施の形態による調理用油除けパネルの使用状態の１例を示した斜視図である。
【図１５】この発明の第１の実施の形態による調理用油除けパネルの使用状態の他の例を示した斜視図である。
【図１６】この発明の第１の実施の形態による調理用油除けパネルにおいて左右のパネルの入れ替えの手順を示した模式図である。
【図１７】従来の調理用油除けパネルの問題点を説明するための概略斜視図である。
【発明を実施するための形態】
【００３２】
図１はこの発明の第１の実施の形態による調理用油除けパネルの外観形状を示した斜視図であり、図２は図１で示したＩＩ−ＩＩラインから見た拡大図であり、図３は図１に示した調理用油除けパネルを展開した状態を示した正面図である。
【００３３】
これらの図を参照して、調理用油除けパネル２１は矩形シート形状の正面パネル２５と、正面パネル２５の右側に回動自在に連結される第１側面パネル２７と、調理用油除けパネル２１の左側に回動自在に連結される第２側面パネル２８とから構成され、これらはアルミニウム箔の成形加工によって形成されている。
【００３４】
正面パネル２５は矩形シート形状の固定パネル２３と固定パネル２３に対して左右方向にスライド自在となる可動パネル２４とから構成されている。そして第１側面パネル２７は可動パネル２４に対して係合され、第２側面パネル２８は固定パネル２３に対して係合されている。これによって可動パネル２４を固定パネル２３に対して左右にスライドさせると、第１側面パネル２７と第２側面パネル２８との間隔を調整することが可能となる。
【００３５】
第１側面パネル２７は図３に示されているように垂直方向の第１辺３０と水平方向の第２辺３１とが同一長さとなる正方形形状において、第１辺３０と第２辺３１とが交差する交点Ａを通る対角線を軸対称として交点Ａに対して対向する交点Ｂを含むハッチングの部分が切り取られた形状を有している。そして切り取られた境界部分は傾斜辺３２を構成している。即ち、第１側面パネル２７は、交点Ａ及び交点Ｂを通る対角線に対して対称形状を有したものに形成されている。
【００３６】
尚、正面パネル２５を構成する固定パネル２３及び可動パネル２４、第１側面パネル２７並びに第２側面パネル２８の各々はその周辺部が全周縁巻形成がされており、これらの縁巻を利用して互いに係合している。次にこれらの係合状態について説明する。
【００３７】
図４は図３で示した“Ｘ”部分の拡大図であり、図５は図４で示したＶ−Ｖラインの拡大断面図である。
【００３８】
これらの図を参照して、可動パネル２４の垂直辺３６の外方部分には外方縁巻３７が形成されている。外方縁巻３７の上方はその縁巻径が徐々に小さくなるテーパー部３９を介して上部縁巻に連続するように構成されている。垂直辺３６の下方の端部４０は水平面に形成されており、この端部４０の部分を境界としてその下方は垂直辺３６の内方側に形成される内方縁巻３８となっている。即ち、外方縁巻３７の下方は端部４０において開放された状態に形成されている。
【００３９】
一方、第１側面パネル２７の第１辺３０を境として、その外方部分には外方縁巻３４が形成されており、その上方部分の縁巻開始箇所は上方即ち係合方向に対して伸びるように斜めに形成された傾斜端部４２となっている。そして傾斜端部４２の部分を境として、その上方は第１辺３０から内方側に縁巻形成された内方縁巻３３となっており、上方の外周縁巻に連続するように構成されている。
【００４０】
可動パネル２４の外方縁巻３７の縁巻方向と第１側面パネル２７の外方縁巻３４の縁巻方向とは、図５に示すようにいずれも反時計方向回りに形成されている。従って、図に示すような係合状態によって、第１側面パネル２７は可動パネル２４に対して矢印で示す方向に回動自在に連結されることになる。尚、外方縁巻３７の上方に形成されているテーパー部３９によって外方縁巻３４が図の位置以上に上方に侵入することを阻止している。これによって可動パネル２４と第１側面パネル２７との安定した係合状態が維持される。
【００４１】
図６は、図４に対応した図であって、可動パネル２４と第１側面パネル２７との係合前の状態を示した図であり、図７は、図６で示したＶＩＩ−ＶＩＩラインの拡大端面図であり、図８は、図６で示したＶＩＩＩ−ＶＩＩＩラインの拡大端面図であり、図９は、図６で示したＩＸ−ＩＸラインの拡大断面図である。
【００４２】
これらの図を参照して、可動パネル２４に対して第１側面パネル２７を係合させる場合には、可動パネル２４の外方縁巻３７の軸方向に対して第１側面パネル２７の外方縁巻３４の軸方向を整列させるように位置合せを行い、外方縁巻３７の端部４０に対して外方縁巻３４の傾斜端部４２を対向させた状態とする。この状態から第１側面パネル２７を上方に進行させる。この時、図９にも示されているように傾斜端部４２は縁巻開始箇所が係合方向に対して斜めに形成されているため、その先端部から外方縁巻３７の端部４０に接触することになる。そのため、傾斜端部４２がガイドの役目をしながら、外方縁巻３４の縁巻先端部分を外方縁巻３７の内部に容易に進行させることが可能となる。この時、可動パネル２４の内方縁巻３８と、第１側面パネル２７の内方縁巻３３とはいずれも垂直辺３６及び第１辺３０の各々の内方側に位置しているため、外方縁巻３７と外方縁巻３４との係合準備状態を阻害する虞はない。
【００４３】
このようにして可動パネル２４に対して第１側面パネル２７を進行させることによって、図４に示したような可動パネル２４と第１側面パネル２７との係合状態となる。尚、第２側面パネル２８と固定パネル２３との係合状態の詳細は示されていないが、これらも第１側面パネル２７と可動パネル２４との係合構造と同様の構造によって互いに脱着自在に係合するように構成されている。使用時には図１で示されているような状態で調理用油除けパネル２１は設置されるため、第１側面パネル２７が可動パネル２４から不用意に下方に移動することによって係合状態が解除される虞はない。
【００４４】
図１０は図３で示した“Ｙ”部分の拡大図である。
【００４５】
図を参照して、第１側面パネル２７の第２辺３１において図６で示した第１辺３０と同様に縁巻が形成されている。即ち、第２辺３１の外方側には外方縁巻３４と同様の外方縁巻４４が形成されており、第２辺３１の内方側には内方縁巻３３と同様の内方縁巻４３が形成されている。又、外方縁巻４４の左側には、傾斜端部４２と同様の傾斜端部４５が形成されている。
【００４６】
従って、図３に示されている状態から第１側面パネル２７を可動パネル２４から一端外し、第１側面パネル２７をその面上において９０°時計方向回りに回転させる。そして図６で示したような位置に第２辺３１を第１辺３０の代わりにセットし、その状態で第１側面パネル２７を上方に進行させることによって第２辺３１を可動パネル２４の垂直辺３６に対して同様に係合させることが可能となる。この係合の利点については後述する。
【００４７】
図１１は図３に示した“Ｚ”部分の拡大図であり、図１２は図１１で示したＸＩＩ−ＸＩＩラインの端面図である。
【００４８】
これらの図を参照して、固定パネル２３にあっては上方の水平辺４７の外方に外方縁巻４８が形成されており、水平辺４７の右側内方部には内方縁巻４９が形成されている。一方、可動パネル２４の外方には全周連続した外方縁巻３７が形成されている。そして、外方縁巻３７が、外方縁巻４８の内面を摺動自在となるように互いの径が設定されている。又、固定パネル２３の下方側の水平辺においても同様に、可動パネル２４は固定パネル２３に対して摺動自在に係合するように構成されている。従って、可動パネル２４は固定パネル２３に対して横方向にスライド自在となる。
【００４９】
図１３は図１に対応した図であって、可動パネルを固定パネルに対してスライドさせた状態を示した斜視図である。
【００５０】
図を参照して、可動パネル２４が図１１及び図１２で示された機構を用いて固定パネル２３に対してスライドさせた状態が示されている。これによって正面パネル２５の幅が大きくなり、即ち、第１側面パネル２７と第２側面パネル２８との間隔が広がることになる。このようにして、調理用油除けパネル２１を設置すべきシステムキッチン用レンジ等の幅に応じて適切に正面パネル２５の幅を調整することが容易となる。
【００５１】
図１４はこの発明の第１の実施の形態による調理用油除けパネルの使用状態の１例を示した斜視図である。
【００５２】
図を参照して、調理用油除けパネル２１はバーナー部５３及びグリル排気口５４等から構成されるシステムキッチン用レンジ５１の周りのガードプレート５２の上に設置されている。即ち、正面パネル２５はグリル排気口５４側を囲い、第１側面パネル２７はシステムキッチン用レンジ５１の右側を囲い、第２側面パネル２８はシステムキッチン用レンジ５１の左側を囲うように設置されている。従って、第１側面パネル２７の傾斜辺３２はシステムキッチン用レンジ５１に対して右側に位置することになる。そのため、調理時に用いた鍋等をシステムキッチン用レンジ５１から右側に移動させるような場合、傾斜辺３２によって移動しやすくなる。
【００５３】
図１５は図１４に対応した図であって、調理用油除けパネルの使用状態の他の例を示した斜視図である。
【００５４】
図を参照して、調理用油除けパネル２１がシステムキッチン用レンジ５１の周囲を囲っている点は図１４に示した例と同様であるが、第１側面パネル２７と第２側面パネル２８とがシステムキッチン用レンジ５１に対して左右入れ替わった状態で正面パネル２５に接続されている点が異なっている。このように調理用油除けパネル２１を設置すると、傾斜辺３２がシステムキッチン用レンジ５１の左側に位置するため、鍋等を左側に移動させるような使用に対して都合が良い配置となる。
【００５５】
尚、図１４及び図１５で示した調理用油除けパネル２１は同一のものを用いているが、この使用状態の切り替えについて以下説明する。
【００５６】
図１６は図１に示した状態の油除けパネルにおいて左右の側面パネルを入れ替える手順について説明した模式図である。
【００５７】
図を参照して、その（１）に図１に示した状態の展開図、即ち図３の状態が示されている。この時、可動パネル２４の垂直辺３６と第１側面パネル２７の第１辺３０とが係合した状態となっている。
【００５８】
次にその（２）に示されているように第１側面パネル２７を可動パネル２４に対して下方向に移動させて第１辺３０と垂直辺３６との係合状態を解除する。係合を解除した第１側面パネル２７をその面上において９０°時計方向回りに回転させる。そして第１側面パネル２７の第２辺３１を可動パネル２４の垂直辺３６に対して係合させながら第１側面パネル２７を上方に移動する。第１側面パネル２７の可動パネル２４に対する係合が完了すると、全体をその（４）に示されているように上下反転させる。これによって第１側面パネル２７と第２側面パネル２８との位置が左右入れ替わったことになる。そしてこの状態で設置すると図１５の使用状態となる。
【００５９】
尚、上記の実施の形態では、各パネル同志を縁巻係合により連結しているが、他の係合手段を用いても同様の効果を奏する。
【００６０】
又、上記の実施の形態では、第１側面パネルは対角線を軸対称とした形状としているが、必ずしも対称形状でなくても良い。
【００６１】
更に、上記の実施の形態では、第２側面パネルは固定パネルに脱着自在に係合しているが、これらは一体構造であっても良い。
【００６２】
更に、上記の実施の形態では、係合する縁巻の一方の端部を傾斜端部としているが、双方共に傾斜端部としても良く、又、双方とも通常の端部であっても良い。そして、傾斜端部を有した縁巻係合構造は、調理用油除けパネル以外の用途にも適用できることは言うまでもない。
【００６３】
更に、上記の実施の形態では、正面パネルは固定パネルと可動パネルとからなるスライド構造としているが、必ずしもスライド構造とする必要は無い。
【００６４】
更に、上記の実施の形態では、アルミ箔の成形体を対象としているが、鉄板等の他の金属等よりなる構造物に対しても同様に適用できる。
【００６５】
更に、上記の実施の形態では、各パネルの表面は平坦面としているが、タイル状等の表面に凹凸を形成したものであっても良い。
【符号の説明】
【００６６】
２１…調理用油除けパネル
２３…固定パネル
２４…可動パネル
２５…正面パネル
２７…第１側面パネル
２８…第２側面パネル
３０…第１辺
３１…第２辺
３４，３７，４４…外方縁巻
３５…対称軸
３６…垂直辺
４２，４５…傾斜端部
尚、各図中同一符号は同一又は相当部分を示す。
【図１】
2011038770.tif 000003
【図２】
2011038770.tif 000004
【図３】
2011038770.tif 000005
【図４】
2011038770.tif 000006
【図５】
2011038770.tif 000007
【図６】
2011038770.tif 000008
【図７】
2011038770.tif 000009
【図８】
2011038770.tif 000010
【図９】
2011038770.tif 000011
【図１０】
2011038770.tif 000012
【図１１】
2011038770.tif 000013
【図１２】
2011038770.tif 000014
【図１３】
2011038770.tif 000015
【図１４】
2011038770.tif 000016
【図１５】
2011038770.tif 000017
【図１６】
2011038770.tif 000018
【図１７】
2011038770.tif 000019
【手続補正書】
【提出日】平成22年12月7日(2010.12.7)
【手続補正２】
【補正対象書類名】明細書
【補正対象項目名】０００１
【補正方法】変更
【補正の内容】
【０００１】
この発明はパネル構造体に関し、特に台所のレンジの周りに立設させ調理時の油跳ね等から周りを保護するための調理用油除けパネル等のパネル構造体に関するものである。
【手続補正３】
【補正対象書類名】明細書
【補正対象項目名】００１１
【補正方法】変更
【補正の内容】
【００１１】
このような調理用油除けパネル６１等のパネル構造体においては、係合する縁巻の端部は軸方向に対して直交するように端面が形成されているため、縁巻同士の係合がスムーズではない。
【手続補正４】
【補正対象書類名】明細書
【補正対象項目名】００１２
【補正方法】変更
【補正の内容】
【００１２】
この発明は上記のような課題を解決するためになされたもので、パネル同士の縁巻による係合がスムーズにできるパネル構造体を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
上記の目的を達成するために、請求項１記載の発明は、縁巻同士を軸方向にスライドさせて係合させることによってパネル同士を連結するパネル構造体において、縁巻の少なくとも一方は、縁巻開始箇所が係合方向に対して伸びるように斜めに形成された傾斜端部を有することを特徴とするものである。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
以上説明したように、請求項１記載の発明は、傾斜端部に沿って縁巻同士の係合が開始されるため、係合が容易となり使い勝手が良い。
【手続補正２２】
【補正対象書類名】特許請求の範囲
【補正対象項目名】全文
【補正方法】変更
【補正の内容】
【特許請求の範囲】
【請求項１】
縁巻同士を軸方向にスライドさせて係合させることによってパネル同士を連結するパネル構造体において、
前記縁巻の少なくとも一方は、縁巻開始箇所が係合方向に対して伸びるように斜めに形成された傾斜端部を有することを特徴とする、パネル構造体。